(57)【要約】【課題】  複数のノードを用いてデータ伝送を行うネットワークシステムの構築コスト及び運用コストを低減する。【解決手段】  本発明は、複数のタイムスロットを有するマルチフレームを伝送することが可能な伝送路と、複数の被通信制御ノードと、通信制御ノードとを備えるネットワークシステムに関する。そして、それぞれの被通信制御ノードは、伝送路上で当該被通信制御ノードが利用を要求する要求帯域幅を通信制御ノードに送信し、通信制御ノードから割り当てられたタイムスロットを用いてフレーム送出を行うことを特徴とする。そして、通信制御ノードは、それぞれの被通信制御ノードから要求帯域幅情報を受信し、受信した要求帯域幅情報を利用してそれぞれの被通信制御ノードに対してタイムスロットの割当を決定し、決定割当内容をそれぞれの被通信制御ノードに通知することを特徴とする。【選択図】      図１
2012204863.tif 000002
【特許請求の範囲】
【請求項１】
複数のタイムスロットを有するマルチフレームを伝送することが可能な伝送路と、上記伝送路に接続する複数の被通信制御ノードと、上記伝送路に接続する通信制御ノードとを備えるネットワークシステムにおいて、
それぞれの上記被通信制御ノードは、
上記伝送路上で当該被通信制御ノードが利用を要求する要求帯域幅に係る要求帯域幅情報を生成し、上記通信制御ノードに送信する要求帯域幅送信手段と、
上記通信制御ノードから当該被通信制御ノードに割り当てられたタイムスロットの情報を含む割当帯域情報を受信する割当帯域情報受信手段と、
当該被通信制御ノードが上記伝送路へのデータ送信に用いる送信フレームを、上記伝送路上を流れるマルチフレームのうち当該被通信制御ノードに割当てられたタイムスロットを用いて、上記伝送路上に送出するフレーム送信手段とを有し、
上記通信制御ノードは、
それぞれの上記被通信制御ノードから、要求帯域幅情報を受信する要求帯域幅受信手段と、
受信した要求帯域幅情報を利用して、それぞれの上記被通信制御ノードに対する、上記伝送路上を流れるマルチフレームを構成するタイムスロットの割当を決定するタイムスロット割当手段と、
上記タイムスロット割当手段により決定したタイムスロットの割当内容に基づいて、それぞれの上記被通信制御ノードに対する割当帯域情報を生成し、それぞれの上記被通信制御ノードに送信する割当帯域情報送信手段とを有する
ことを特徴とするネットワークシステム。
【請求項２】
当該被通信制御ノードが上記伝送路へのデータ送信に用いる送信フレームは、ＯＤＵｆｌｅｘフレームであり、上記マルチフレームは、ＯＤＵｆｌｅｘフレームを伝送するための高次ＯＤＵフレームであることを特徴とする請求項１に記載のネットワークシステム。
【請求項３】
上記要求帯域幅送信手段は、上記伝送路上で採用されているマルチフレーム周期のｎ倍（ｎは１以上の整数）ごとに、要求帯域幅情報を生成して上記通信制御ノードに送信することを特徴とする請求項２に記載のネットワークシステム。
【請求項４】
複数のタイムスロットを有するマルチフレームを伝送することが可能な伝送路に接続する被通信制御ノードにおいて、
上記伝送路上で当該被通信制御ノードが利用を要求する要求帯域幅に係る要求帯域幅情報を生成し、上記伝送路に接続している通信制御ノードに送信する要求帯域幅送信手段と、
上記通信制御ノードから当該被通信制御ノードに割り当てられたタイムスロットの情報を含む割当帯域情報を受信する割当帯域情報受信手段と、
当該被通信制御ノードが上記伝送路へのデータ送信に用いる送信フレームを、上記伝送路上を流れるマルチフレームのうち当該被通信制御ノードに割当てられたタイムスロットを用いて、上記伝送路上に送出するフレーム送信手段と
を有することを特徴とする被通信制御ノード。
【請求項５】
複数のタイムスロットを有するマルチフレームを伝送することが可能な伝送路に接続する通信制御ノードにおいて、
上記伝送路に接続する複数の被通信制御ノードのそれぞれから、上記伝送路上で当該被通信制御ノードが利用を要求する要求帯域幅に係る要求帯域幅情報を受信する要求帯域幅受信手段と、
受信した要求帯域幅情報を利用して、それぞれの上記被通信制御ノードに対する、上記伝送路上を流れるマルチフレームを構成するタイムスロットの割当を決定するタイムスロット割当手段と、
上記タイムスロット割当手段により決定したタイムスロットの割当内容に基づいて、それぞれの上記被通信制御ノードについて、当該被通信制御ノードに割り当てられたタイムスロットの情報を含む割当帯域情報を生成し、それぞれの上記被通信制御ノードに送信する割当帯域情報送信手段と
を有することを特徴とする通信制御ノード。
【請求項６】
複数のタイムスロットを有するマルチフレームを伝送することが可能な伝送路と、上記伝送路に接続する複数の被通信制御ノードと、上記伝送路に接続する通信制御ノードとを備えるネットワークシステムの帯域制御方法において、
それぞれの上記被通信制御ノードが、上記伝送路上で当該被通信制御ノードが利用を要求する要求帯域幅に係る要求帯域幅情報を生成し、上記通信制御ノードに送信する要求帯域幅送信工程と、
上記通信制御ノードが、上記被通信制御ノードのそれぞれから、要求帯域幅情報を受信する要求帯域幅受信工程と、
上記通信制御ノードが、受信した要求帯域幅情報を利用して、それぞれの上記被通信制御ノードに対する、上記伝送路上を流れるマルチフレームを構成するタイムスロットの割当を決定するタイムスロット割当工程と、
上記通信制御ノードが、上記タイムスロット割当工程により決定したタイムスロットの割当内容に基づいて、それぞれの上記被通信制御ノードについて、当該被通信制御ノードに割り当てられたタイムスロットの情報を含む割当帯域情報を生成し、それぞれの上記被通信制御ノードに送信する割当帯域情報送信工程と、
それぞれの上記被通信制御ノードが、上記通信制御ノードから割当帯域情報を受信する割当帯域情報受信工程と、
それぞれの上記被通信制御ノードが、当該被通信制御ノードが上記伝送路へのデータ送信に用いる送信フレームを、上記伝送路上を流れるマルチフレームのうち当該被通信制御ノードに割当てられたタイムスロットを用いて、上記伝送路上に送出するフレーム送信工程と
を有することを特徴とする帯域制御方法。
【発明の詳細な説明】
【技術分野】
【０００１】
この発明は、ネットワークシステム、通信制御ノード、被通信制御ノード、及び、帯域制御方法に関し、例えば、ＯＴＮ（Ｏｐｔｉｃａｌ  Ｔｒａｎｓｐｏｒｔ  Ｎｅｔｗｏｒｋ）に対応したネットワークシステムに適用することができる。
【背景技術】
【０００２】
近年の通信キャリア（インターネット接続事業者や携帯電話キャリア等）のアクセスネットワークでは、トラヒックが年率４０％〜５０％で増加しており、ネットワーク事業者は将来の高トラヒックに対応するためにネットワークの帯域を増強する必要がある。
【０００３】
しかしながら、固定およびモバイルでのインターネットサービスは、従量制ではなく定額制が基本でありトラヒックが増えても収入が増えるわけではない。よって今後のキャリアネットワークは、１ビットあたりの単価を低減してコストを削減する必要がある。そのためには大容量化だけでなく効率的なネットワークを構築する必要がある。
【０００４】
図７は、従来のネットワークシステムの構成例について示したブロック図である。
【０００５】
従来のネットワークシステムでは、図７（ａ）に示すように、ＷＤＭ伝送装置（レイヤ０）、ＴＤＭ伝送装置（レイヤ１）、イーサネット（登録商標）スイッチ（レイヤ２）、ＩＰルータ（レイヤ３）といったレイヤ毎に独立して装置が存在している。これら複数のレイヤ毎に装置が存在している現状のネットワークでは装置の種別、数量が多く、結果として高コスト、高消費電力となっている。これらを解決する方策として、図７（ｂ）に示すように、レイヤ０からレイヤ２の装置を統合して装置種別、数量を減らして低コスト化、低消費電力化を図ろうという議論がさかんに行われている。
【０００６】
さらに消費電力を下げるための方策としてレイヤの低い装置でスイッチングすることが効果的である。同容量のスイッチングをする場合、レイヤが低いほど低消費電力となる。しかしながら現在のネットワークではルータによる中継が不要なトラヒックでもルータに転送し、その結果ネットワーク全体の消費電力が増大する。よってルータをスルーできるトラヒックは下のレイヤでスイッチすることが望ましい。
【０００７】
以上のようにビット単価を削減し効率的なネットワークを構築するためにレイヤ０〜レイヤ２のスイッチを統合し、ルータに不要なパケットトラヒックはこれらの統合スイッチで処理するパケットオプティカルトランスポート装置の開発が進められている。
【０００８】
図８は、従来のパケットオプティカルトランスポート装置の構成例について示したブロック図である。
【０００９】
次に、従来のネットワークシステムにおける各レイヤスイッチの役割について説明する。
【００１０】
波長スイッチ（レイヤ０スイッチ）は、複数の波長を多重することにより光ケーブル１本で伝送できる容量を拡大するものである。例えば４０Ｇｂｐｓの信号４０本を１本の光ケーブルで伝送する場合、電気信号のまま多重すると伝送速度は１．６Ｔｂｐｓとなり、今日の光通信技術で伝送することは困難である。これに対して各４０Ｇｂｐｓの信号をそれぞれ異なる４０波の波長に変換し、波長多重することで１本の光ケーブルで伝送することが可能となる。
【００１１】
ところで、従来、長距離（国内，国際； 数百〜数千km）にわたって大容量の情報を伝達するネットワークシステムとして、ＩＴＵ−Ｔ  Ｇ．７０９で規定されるＯＴＮ（Ｏｐｔｉｃａｌ  Ｔｒａｎｓｐｏｒｔ  Ｎｅｔｗｏｒｋ、非特許文献１参照）がある。そして、そのＯＴＮを構成する装置（ノード）として、ＯＤＵスイッチ（レイヤ１スイッチ）と呼ばれる、１波あたりの伝送帯域を有効に利用するための装置がある。
【００１２】
図９は、従来のＯＤＵスイッチによる帯域共用の構成について示した説明図である。
【００１３】
例えば、ここでは、図９に示すように、リング伝送においてリング内に４個のノードがあった場合を想定する。各ノードからの伝送容量が１０Ｇｂｐｓであった場合、１０Ｇｂｐｓを１波で伝送するのは効率的ではない。よって１波あたりの伝送速度を４０Ｇとし、この４０Ｇのリング帯域を各ノードで共有、すなわち自分の信号（例えば１０Ｇ）のみをアッドおよびドロップ（ＡＤＭ：Ａｄｄ  Ｄｒｏｐ  Ｍｕｌｔｉｐｌｅｘｉｎｇ）することにより帯域の有効利用が可能となる。なおＯＤＵ（Ｏｐｔｉｃａｌ  Ｄａｔａ  Ｕｎｉｔ）とはＩＴＵ−Ｔ  Ｇ．７０９標準（ＯＴＮ）で規定されているコンテナパスであり、ＳＤＨやＥｔｈｅｒｎｅｔ（登録商標）、ファイバチャネルなどといったさまざまクライアント信号を収容することができる。
【００１４】
また、ＯＤＵの種別としてＯＤＵ０（１．２５Ｇ）、ＯＤＵ１（２．５Ｇ）、ＯＤＵ２（１０Ｇ）、ＯＤＵ３（４０Ｇ）、ＯＤＵ４（１００Ｇ）およびＯＤＵｆｌｅｘ（１．２５Ｇの倍数の任意のレート）が定義されており、それぞれ高次のコンテナパスへ多重マッピングすることもできる。例えばＯＤＵ０（１．２５Ｇ）はギガビットイーサネットを収容するコンテナパスであるが、４個のＯＤＵ０（１．２５Ｇ：ギガビットイーサ）、２個のＯＤＵ１（２．５Ｇ：ＳＴＭ−１６）といった複数のサービスを１個のＯＤＵ２（１０Ｇ）に多重収容することも可能であり自局内の帯域をさらに効率よく使用することができる。先ほどの例であるリング帯域が４０Ｇの場合、このＯＤＵ２（１０Ｇ）をリングの片方側から受信したＯＤＵ３（４０Ｇ）にＡＤＤ（ＭＵＸ）してもう片側のラインへ出力することで帯域を共有することができる。これらのサービス多重やＡＤＤ／ＤＲＯＰなどの低次コンテナパスから高コンテナパスへの多重処理はＯＤＵスイッチで実現する。
【００１５】
次に、従来のＯＴＮにおけるレイヤ２スイッチの役割について説明する。
【００１６】
図１０は、従来のレイヤ２スイッチによる帯域共用の例について示した説明図である。
【００１７】
上述のＯＤＵスイッチは固定帯域のみをスイッチするものであり、例えばリング帯域を複数のノードで共有する場合において各ノードには一定帯域が固定的に割当てられる。この場合、他のノードが使用していない時間において、その未使用帯域を他のノードが使用することはできない。これに対してレイヤ２スイッチの場合、イーサネットなどのレイヤ２フレーム単位で多重処理をするため、他のノードが未使用であった場合は帯域を再利用（統計多重）することが可能なり、リング帯域をさらに効率よく利用することが可能となる。  上述のように各レイヤのスイッチはそれぞれ特徴が異なるためサービスの種別に応じて最適なレイヤでスイッチングすることが望ましい。すなわち専用線サービスや音声トラヒックなどは固定帯域を確保することが望ましくレイヤ１でのスイッチが適しているが、インターネットなどのトラヒックは統計多重効果のあるレイヤ２スイッチでスイッチすることで帯域を有効に利用することができる。また放送配信など大容量のトラヒックを常時転送する場合や超高速専用線などはＬ０スイッチが最適である。
【００１８】
また、ＰＯＮシステムにおいて、ＯＬＴ（Ｏｐｔｉｃａｌ  Ｌｉｎｅ  Ｔｅｒｍｉｎａｌ）と、各ＯＮＵ（Ｏｐｔｉｃａｌ  Ｎｅｔｗｏｒｋ  Ｕｎｉｔ）との間の帯域制御を行う従来技術としては、特許文献１の記載技術がある。特許文献１の記載技術では、ＯＬＴが、各ＯＮＵからの要求に応じた帯域を割当てる通知を行い、ＯＮＵ側ではＯＬＴからの通知に応じたフレーム送信を行っている。
【先行技術文献】
【特許文献】
【００１９】
【特許文献１】特開２０１０−２１９９７８号公報
【非特許文献】
【００２０】
【非特許文献１】ＮＴＴ未来ねっと研究所  大原拓也著、「光伝達網（ＯＴＮ）の基礎と最新標準化動向」，[Online]，INTERNET，[２０１１年２月２８日検索]，＜ＵＲＬ：http://www.mpls.jp/presentations/20101101_OTN_standardization.pdf＞
【発明の概要】
【発明が解決しようとする課題】
【００２１】
しかしながら、上述の図１０のネットワークシステムを構成するノードの場合、レイヤ０からレイヤ２の処理を行うため、装置が複雑となる。ネットワーク全体で考えると複数の装置が統合されることによる低コスト化、省スペース化、省電力化は実現可能であるが、装置１台あたりのコスト、消費電力は増大することとなる。
【００２２】
また、特許文献１の記載技術は、ＰＯＮシステムにおける帯域制御を行うものであるが、ＰＯＮシステムは、もともとレイヤ２に相当する構成を備えており、統計多重可能な技術である。従って、ＯＴＮのように、レイヤ１で動作し、統計多重を前提としていないネットワークシステム上に、特許文献１の記載技術を適用した帯域制御を行うことはできない。
【００２３】
そこで、上述のような課題に鑑みて、複数のノードを用いてデータ伝送を行うネットワークシステムの構築コスト及び運用コストを低減させることができるネットワークシステム、通信制御ノード、被通信制御ノード、及び帯域制御方法が望まれている。
【課題を解決するための手段】
【００２４】
第１の本発明は、複数のタイムスロットを有するマルチフレームを伝送することが可能な伝送路と、上記伝送路に接続する複数の被通信制御ノードと、上記伝送路に接続する通信制御ノードとを備えるネットワークシステムにおいて、（１）それぞれの上記被通信制御ノードは、（１−１）上記伝送路上で当該被通信制御ノードが利用を要求する要求帯域幅に係る要求帯域幅情報を生成し、上記通信制御ノードに送信する要求帯域幅送信手段と、（１−２）上記通信制御ノードから当該被通信制御ノードに割り当てられたタイムスロットの情報を含む割当帯域情報を受信する割当帯域情報受信手段と、（１−３）当該被通信制御ノードが上記伝送路へのデータ送信に用いる送信フレームを、上記伝送路上を流れるマルチフレームのうち当該被通信制御ノードに割当てられたタイムスロットを用いて、上記伝送路上に送出するフレーム送信手段とを有し、（２）上記通信制御ノードは、（２−１）それぞれの上記被通信制御ノードから、要求帯域幅情報を受信する要求帯域幅受信手段と、（２−２）受信した要求帯域幅情報を利用して、それぞれの上記被通信制御ノードに対する、上記伝送路上を流れるマルチフレームを構成するタイムスロットの割当を決定するタイムスロット割当手段と、（２−３）上記タイムスロット割当手段により決定したタイムスロットの割当内容に基づいて、それぞれの上記被通信制御ノードに対する割当帯域情報を生成し、それぞれの上記被通信制御ノードに送信する割当帯域情報送信手段とを有することを特徴とする。
【００２５】
第２の本発明は、複数のタイムスロットを有するマルチフレームを伝送することが可能な伝送路に接続する被通信制御ノードにおいて、（１）上記伝送路上で当該被通信制御ノードが利用を要求する要求帯域幅に係る要求帯域幅情報を生成し、上記伝送路に接続している通信制御ノードに送信する要求帯域幅送信手段と、（２）上記通信制御ノードから当該被通信制御ノードに割り当てられたタイムスロットの情報を含む割当帯域情報を受信する割当帯域情報受信手段と、（３）当該被通信制御ノードが上記伝送路へのデータ送信に用いる送信フレームを、上記伝送路上を流れるマルチフレームのうち当該被通信制御ノードに割当てられたタイムスロットを用いて、上記伝送路上に送出するフレーム送信手段とを有することを特徴とする。
【００２６】
第３の本発明は、複数のタイムスロットを有するマルチフレームを伝送することが可能な伝送路に接続する通信制御ノードにおいて、（１）上記伝送路に接続する複数の被通信制御ノードのそれぞれから、上記伝送路上で当該被通信制御ノードが利用を要求する要求帯域幅に係る要求帯域幅情報を受信する要求帯域幅受信手段と、（２）受信した要求帯域幅情報を利用して、それぞれの上記被通信制御ノードに対する、上記伝送路上を流れるマルチフレームを構成するタイムスロットの割当を決定するタイムスロット割当手段と、（３）上記タイムスロット割当手段により決定したタイムスロットの割当内容に基づいて、それぞれの上記被通信制御ノードについて、当該被通信制御ノードに割り当てられたタイムスロットの情報を含む割当帯域情報を生成し、それぞれの上記被通信制御ノードに送信する割当帯域情報送信手段とを有することを特徴とする。
【００２７】
第４の本発明は、複数のタイムスロットを有するマルチフレームを伝送することが可能な伝送路と、上記伝送路に接続する複数の被通信制御ノードと、上記伝送路に接続する通信制御ノードとを備えるネットワークシステムの帯域制御方法において、（１）それぞれの上記被通信制御ノードが、上記伝送路上で当該被通信制御ノードが利用を要求する要求帯域幅に係る要求帯域幅情報を生成し、上記通信制御ノードに送信する要求帯域幅送信工程と、（２）上記通信制御ノードが、上記被通信制御ノードのそれぞれから、要求帯域幅情報を受信する要求帯域幅受信工程と、（３）上記通信制御ノードが、受信した要求帯域幅情報を利用して、それぞれの上記被通信制御ノードに対する、上記伝送路上を流れるマルチフレームを構成するタイムスロットの割当を決定するタイムスロット割当工程と、（４）上記通信制御ノードが、上記タイムスロット割当工程により決定したタイムスロットの割当内容に基づいて、それぞれの上記被通信制御ノードについて、当該被通信制御ノードに割り当てられたタイムスロットの情報を含む割当帯域情報を生成し、それぞれの上記被通信制御ノードに送信する割当帯域情報送信工程と、（５）それぞれの上記被通信制御ノードが、上記通信制御ノードから割当帯域情報を受信する割当帯域情報受信工程と、（６）それぞれの上記被通信制御ノードが、当該被通信制御ノードが上記伝送路へのデータ送信に用いる送信フレームを、上記伝送路上を流れるマルチフレームのうち当該被通信制御ノードに割当てられたタイムスロットを用いて、上記伝送路上に送出するフレーム送信工程とを有することを特徴とする。
【発明の効果】
【００２８】
本発明によれば、複数のノードを用いてデータ伝送を行うネットワークシステムの構築コスト及び運用コストを低減することができる。
【図面の簡単な説明】
【００２９】
【図１】実施形態に係る光ネットワークシステムにおける帯域制御処理の動作について示したシーケンス図である。
【図２】実施形態に係る光通信ネットワークシステムの全体構成について示したブロック図である。
【図３】実施形態に係るセンタノード（通信制御ノード）の機能的構成について示したブロック図である。
【図４】実施形態に係るスレーブノード（被通信制御ノード）の機能的構成について示したブロック図である。
【図５】実施形態に係る光通信ネットワークシステムにおいて、ＯＴＮ内を流れるフレームの構成について示した説明図である。
【図６】実施形態に係る光通信ネットワークシステムにおいて、各スレーブノードに割当てられるタイムスロットの遷移について示した説明図である。
【図７】従来のネットワークシステムの構成例について示したブロック図である。
【図８】従来のパケットオプティカルトランスポート装置の構成例について示したブロック図である。
【図９】従来のＯＤＵスイッチによる帯域共用の例について示した説明図である。
【図１０】従来のレイヤ２スイッチによる帯域共用の例について示した説明図である。
【発明を実施するための形態】
【００３０】
（Ａ）主たる実施形態
以下、本発明によるネットワークシステム、通信制御ノード、被通信制御ノード、及び帯域制御方法の一実施形態を、図面を参照しながら詳述する。なお、この実施形態のネットワークシステムは、光通信ネットワークシステムである。また、この実施形態の通信制御ノード及び被通信制御ノードは、センタノード及びスレーブノードである。
【００３１】
（Ａ−１）実施形態の構成
図２は、この実施形態のこの、光通信ネットワークシステム１の全体構成を示すブロック図である。
【００３２】
光通信ネットワークシステム１には、センタノード１０、スレーブノード２０−１〜２０−４が配置されており、それぞれのノード間は、リング型の光ファイバ３０により結ばれているものとする。すなわち、光通信ネットワークシステム１では、センタノード１０、及びスレーブノード２０−１〜２０−４が、それぞれ、リング型の光ファイバ３０に挿入され、リングネットワークとして形成されている。なお、配置するスレーブノード２０の数は限定されないものである。
【００３３】
また、光通信ネットワークシステム１を構成する各ノードが対応する具体的な通信処理方式については限定されないものである。ここでは、各ノードは、ＩＴＵ−Ｔ  Ｇ．７０９に準拠した物理インタフェースを備え、ＩＴＵ−Ｔ  Ｇ．７０９で規定されたフレーム（ＯＴＵ：Ｏｐｔｉｃａｌ−ｃｈａｎｎｅｌ  Ｔｒａｎｓｐｏｒｔ  Ｕｎｉｔ、ＯＤＵが挿入されたフレーム）を送受信するものとする。すなわち、光通信ネットワークシステム１では、センタノード１０、スレーブノード２０−１〜２０−４、及び光ファイバ３０により、ＯＴＮ（ＯＴＵフレームを伝送する伝送路）が形成されている。ただし、従来のＯＴＮを構成するノード（ＩＴＵ−Ｔ  Ｇ．７０９に準拠したノード）は、波長スイッチ（レイヤ０）及びＯＤＵスイッチ（レイヤ１）として機能するものであるが、光通信ネットワークシステム１においてＯＴＮを構成するノードは、この波長スイッチ及びＯＤＵスイッチの機能を利用して、レイヤ０からレイヤ２までのスイッチ機能（統計多重）を実現する点で、従来技術とは異なっている。
【００３４】
図２において、センタノード１０、スレーブノード２０−１〜２０−４は、リング型のトポロジを用いて結ばれているが、論理的には、センタノード１０を中心としたスター型のトポロジでパス接続されているものとする。また、センタノード１０は、図示しない上位側のネットワークと接続しており、スレーブノード２０も、それぞれ、図示しない下位側ネットワークと接続しているものとする。すなわち、光通信ネットワークシステム１は、センタノード１０が接続する上位側ネットワークと、スレーブノード２０が収容する下位側ネットワークとの間のトラヒックを伝送するシステムであるものとする。上述の上位側ネットワーク及び下位側ネットワークの種類は限定されないものであり、例えば、イーサネットに対応したネットワーク装置（例えば、Ｌ２／Ｌ３スイッチやルータ等）で構成されたネットワーク（イーサネットワーク）でも良いし、ＳＤＨに対応したネットワーク装置（例えば、ＳＯＮＥＴ等に対応した伝送装置）で構成されたネットワーク（ＳＤＨネットワーク）でも良い。
【００３５】
ところで、上述のように、従来のＩＴＵ−Ｔ  Ｇ．７０９に完全に準拠したノードでは、動的に変動しない固定帯域のスイッチ処理しかできないため、統計多重処理を行うことは想定されておらず、他のノードと効率的に帯域をシェアすることができない。そこで、光通信ネットワークシステム１では、レイヤ０からレイヤ２までのスイッチ機能を実現するために、ＩＴＵ−Ｔ  Ｇ．７０９で新しく規定された、ＯＤＵｆｌｅｘ（１．２５Ｇ単位での帯域割り当てが可能なＯＤＵ）を用いて、統計多重処理を実現するものとする。
【００３６】
ＯＤＵｆｌｅｘは１．２５Ｇ単位で任意のレートを収容するコンテナパスである。これまでのＯＴＮ規格ではＯＤＵ１（２．５Ｇ）、ＯＤＵ２（１０Ｇ）、ＯＤＵ３（４０Ｇ）のみであったため、例えば１０Ｇイーサネットのうち、半分の５Ｇしか使用していない場合でもＯＤＵ２のコンテナで転送する必要があり非効率であった。これに対してＯＤＵｆｌｅｘでは１．２５Ｇのタイムスロット単位に分割して収容することができるため５Ｇ（１．２５Ｇ×４タイムスロット）での転送が可能であり帯域を有効に使用することができる。
【００３７】
そこで、光通信ネットワークシステム１では、このＯＤＵｆｌｅｘを構成するコンテナサイズ（割当てるタイムスロット数）を動的に変化させることにより、レイヤ１スイッチで、統計多重処理を実現するものである。光通信ネットワークシステム１では、各ノードにこのような機能を実装することにより、レイヤ２スイッチを省略することができ、レイヤ０〜２までのマルチレイヤ統合装置に比較して低コスト化、低消費電力化を実現可能できる。
【００３８】
次に、ＯＤＵｆｌｅｘの詳細について説明する。
【００３９】
図５は、ＯＤＵｆｌｅｘの構成について示した説明図である。
【００４０】
図５（ａ）は、ＯＤＵｆｌｅｘのコンテナパスで伝送されるフレーム（以下、「ＯＤＵｆｌｅｘフレーム」と呼ぶ）の全体構成について示している。図５（ａ）に示すようにＯＤＵｆｌｅｘは、１６バイトのオーバヘッド部（以下、「ＯＨ」とも呼ぶものとする）と、３８０８バイトのペイロード部を有している。そして、ＯＤＵｆｌｅｘのコンテナパスでは、上述のＯＤＵｆｌｅｘフレームが、コンテナパスを構成する複数の高次ＯＤＵフレーム（以下、この高次コンテナのフレームを「マルチフレーム」ともいう）に分割して挿入される。
【００４１】
そして、ここでは、ＯＤＵｆｌｅｘの高次コンテナとして４０ＧｂｐｓのＯＤＵ３を例とし、その場合の構成例について図５（ｂ）、図５（ｃ）に示している。
【００４２】
ＯＤＵ３は図５（ｂ）に示すように、元々ＳＴＭ−２５６を収容するためのコンテナである。また、図５（ｃ）に示すように、ＩＴＵ−Ｔ  Ｇ．７０９標準では、ＯＤＵ３のペイロードは、３２個の１．２５Ｇｂｐｓのタイムスロット（以下、「ＴＳ」とも呼ぶ）に分割することができる。すなわち、この場合、図５（ｃ）に示すように、ＯＤＵ３により構成されたマルチフレームが３２個で１組となっており、それぞれのマルチフレームのペイロードは３２分割されている。そして、その３２分割されたそれぞれのブロックが、ＯＤＵｆｌｅｘのコンテナパスを構成するタイムスロットとなっている。以下では、各マルチフレームのペイロードにおいて、先頭のブロックから昇順にＴＳ１、ＴＳ２、…、ＴＳ３２と呼ぶものとする。さらに、以下では、１組のマルチフレーム（３２個のマルチフレーム）について、先頭のマルチフレームから昇順に、マルチフレームＭＦ１、マルチフレームＭＦ２、…、マルチフレームＭＦ３２と呼ぶものとする。また、以下では、ＯＤＵｆｌｅｘのコンテナパスにおいて、上述の１組のマルチフレームの流れる周期（例えば、任意のノードで１組のマルチフレームが流れる周期）を「マルチフレーム周期」と呼ぶものとする。
【００４３】
そして、光通信ネットワークシステム１では、スレーブノード２０−１〜２０−４のそれぞれが、割当てられたタイムスロットを用いて、ＯＤＵｆｌｅｘフレーム送信を行う。例えば、あるスレーブノード２０に、１つのタイムスロットＴＳ１だけが割当てられていた場合には、当該スレーブノード２０は、各マルチフレームのＴＳ１だけを用いて、ＯＤＵｆｌｅｘフレーム送信を行う。また、当該スレーブノード２０に、２つのタイムスロットＴＳ１、ＴＳ２が割当てられていた場合には、タイムスロットが１つの場合と比較して倍の帯域を確保することになる。
【００４４】
なお、ＯＤＵ３ペイロードのビットレートは固定スタッフ分を付加して２３８／２３６×ＳＴＭ２５６レート（３９，８１３，１２０［ｋｂｉｔ／ｓ］）となる。これに対し、ＯＤＵ３を利用したＯＤＵｆｌｅｘのビットレートは２３８／２３６×ＳＴＭ２５６レート（３９，８１３，１２０［ｋｂｉｔ／ｓ］）×１／３２×タイムスロット数、すなわち１．２５４７Ｇ×ｔｓ（タイムスロット数）となる。
【００４５】
次に、センタノード１０の内部構成について説明する。
【００４６】
図３は、センタノード１０の機能的構成について示したブロック図である。
【００４７】
センタノード１０は、ＡＤＭ１１、上位側インタフェース１２、通信制御部１３、及び、制御部１４を有している。
【００４８】
制御部１４は、センタノード１０の全体を制御する機能を担っている。
【００４９】
ＡＤＭ１１は、センタノード１０が、ＯＴＮに参加（光ファイバ３０に接続）するためのインタフェースである。ＡＤＭ１１としては、既存のＯＴＮ（ＩＴＵ−Ｔ  Ｇ．７０９）に対応するノードと同様のものを適用することができる。ＡＤＭ１１は、受信したＯＤＵフレームについて、通信制御部１３の制御に応じて、自装置から送信するデータに係るタイムスロットの追加、または、自装置宛に送信されたデータに係るタイムスロットの取り出しを行う。なお、ＯＴＮ上を実際に流れているのは、ＯＴＵのフレームであるが、ここでは、センタノード１０に関して、ＯＴＵに含まれるＯＤＵ３（ＯＤＵｆｌｅｘ）に着目した処理の構成を中心として説明する。すなわち、センタノード１０では、ＯＤＵｆｌｅｘとＯＴＵとの間の相互の変換処理については、既存のＯＴＮに対応したノードと同様処理が行われるため、詳しい説明については省略する。ＯＴＵからＯＤＵ３の変換処理としては、例えば、オーバヘッド部の変換やＦＥＣの追加等がおこなわれ、ＯＤＵ３からＯＴＵへの変換はその逆の処理が行われる。
【００５０】
上位側インタフェース１２は、センタノード１０が、上述の図示しない上位側ネットワークに接続するためのインタフェースである。上位側インタフェース１２の具体的な仕様は限定されないものであり、上述の図示しない上位側ネットワークに接続することができるインタフェース（例えば、イーサネットの各種のインタフェース等）を適用することができる。
【００５１】
通信制御部１３は、ＡＤＭ１１と上位側インタフェース１２との間に配置されており、センタノード１０が行う通信処理等を行う機能を担っている。通信制御部１３が行う通信処理としては、例えば、ＯＴＮ（各スレーブノード２０）側と上位側ネットワークとの間のフレーム（パケット）転送や、ＯＴＮ（各スレーブノード２０）に対する通信制御処理を行う。通信制御部１３が行う通信処理としては、後述する各スレーブノード２０とのＯＴＮ上の帯域制御処理に係る通信処理以外については、例えば、既存のＯＴＮに対応したノードと同様の通信処理を適用することができる。通信制御部１３による、ＯＴＮ上の帯域制御処理の詳細については、後述する。
【００５２】
次に、スレーブノード２０の内部構成について説明する。
【００５３】
図４は、スレーブノード２０の機能的構成について示したブロック図である。
【００５４】
ここでは、スレーブノード２０−１〜２０−４は、全て同じ構成（図４に示す構成）であるものとして説明する。
【００５５】
各スレーブノード２０は、ＡＤＭ２１、下位側インタフェース２２、通信制御部２３、及び制御部２４を有している。
【００５６】
制御部２４は、スレーブノード２０の全体を制御する機能を担っている。
【００５７】
ＡＤＭ２１は、スレーブノード２０が、ＯＴＮに参加（光ファイバ３０に接続）するためのインタフェースである。ＡＤＭ２１としては、既存のＯＴＮ（ＩＴＵ−Ｔ  Ｇ．７０９）に対応するノードと同様のものを適用することができる。ＡＤＭ２１は、上述のＡＤＭ１１と同様に、受信したＯＤＵフレームについて、通信制御部２３の制御に応じて、自装置から送信するデータに係るタイムスロットの追加、または、自装置宛に送信されたデータに係るタイムスロットの取り出しを行うものである。
【００５８】
下位側インタフェース２２は、スレーブノード２０が、上述の図示しない下位側ネットワークに接続するためのインタフェースである。下位側インタフェース２２の具体的な仕様は限定されないものであり、上述の図示しない下位側ネットワークに接続することができるインタフェース（例えば、イーサネットの各種のインタフェース等）を適用することができる。
【００５９】
通信制御部２３は、ＡＤＭ２１と下位側インタフェース２２との間に配置されており、スレーブノード２０が行う通信処理等を行う機能を担っている。通信制御部２３が行う通信処理としては、例えば、ＯＴＮ（センタノード１０）側と下位側ネットワークとの間のフレーム（パケット）転送や、ＯＴＮ（センタノード１０）に対する通信制御処理を行う。通信制御部２３が行う通信処理としては、後述するセンタノード１０との間の通信に係る帯域制御処理（ＯＴＮ上の帯域制御処理）に係る通信処理以外については、例えば、既存のＯＴＮに対応したノードと同様の通信処理を適用することができる。通信制御部２３による、ＯＴＮ上の帯域制御処理の詳細については、後述する。
【００６０】
次に、センタノード１０（通信制御部１３）と各スレーブノード２０（通信制御部２３）との間の帯域制御処理について説明する。
【００６１】
上述の通り、光通信ネットワークシステム１では、ＯＤＵｆｌｅｘのコンテナパスを構成するコンテナサイズ（タイムスロット数）を動的に変化させることにより、統計多重機能を実現する。具体的には、センタノード１０が、上り方向（各スレーブノード２０からセンタノード１０への方向）のコンテナパスについて、各スレーブノード２０に割り当てるタイムスロット数を動的に変化させている。
【００６２】
そして、各スレーブノード２０（通信制御部２３）は、センタノード１０（通信制御部１３）に対して、周期的に帯域割当（タイムスロットの割当）の要求（以下、「帯域割当要求通知」という）を送信する。そしてセンタノード１０（通信制御部１３）は、各スレーブノード２０（通信制御部２３）からの帯域割当要求通知の内容等に基づいて、どのタイムスロットをどのスレーブノード２０に割当てるかを決定する。そして、センタノード１０（通信制御部１３）は、各スレーブノード２０に対して決定した帯域割当（タイムスロットの割当）の通知（以下、「帯域割当決定通知」と呼ぶ）を行う。これにより、各スレーブノード２０の通信制御部２３では、マルチフレーム上で使用するタイムスロット数の変更を行う。なお、スレーブノード２０（通信制御部２３）による自ノードで用いるタイムスロット数の変更は、送信側および受信側で同期をとって無瞬断（ヒットレス）で実施することが望ましい。
【００６３】
センタノード１０（通信制御部１３）とスレーブノード２０（通信制御部２３）との間の帯域制御に係る信号（帯域割当要求通知及び帯域割当決定通知）の伝送方式については限定されないものであるが、ここでは、ＯＤＵｆｌｅｘフレームのオーバヘッド部を用いるものとする。ＯＤＵｆｌｅｘフレームのオーバヘッド部の伝送レート（伝送頻度）は、現在当該スレーブノード２０に割当てられているタイムスロット数に依存する。したがって、全てのＯＤＵｆｌｅｘフレームのオーバヘッド部に、帯域割当要求通知を設定する場合、割当てられたタイムスロット数が多いスレーブノード２０ほど、センタノード１０（通信制御部１３）への多くの帯域割当要求通知が届くことになる。そこで、この実施形態では、スレーブノード２０ごとに帯域割当要求通知を行う機会を均一にするために、各スレーブノード２０からの帯域割当要求通知を受付ける周期（以下、「リクエスト通知周期」という）は、高次ＯＤＵのマルチフレーム周期のｎ倍（ｎは１以上の整数）とするものとする。
【００６４】
例えば、ＯＤＵ３の場合、上述の通り、タイムスロット数は３２個あるため、割り当てタイムスロットが１個であった場合はＯＤＵｆｌｅｘを１フレーム送出するのに高次ＯＤＵ３のフレーム換算で３２マルチフレームを僅かに超える程度の時間を要することになる。一方で、割当てタイムスロット数が１６個のノードでは２マルチフレームを僅かに超える程度でＯＤＵｆｌｅｘ１フレームを送出することができる。したがって例えば各スレーブノード２０からのリクエスト通知周期を３２マルチフレーム毎（すなわち、３２の倍数となるマルチフレーム毎）に統一することで各ノードからの要求周期は公平化される。
【００６５】
なお、各スレーブノード２０は、高次ＯＤＵ（上述の例の場合ＯＤＵ３）のフレーム周波数に同期したクロックで動作するため、全てのスレーブノード２０は、マルチフレーム周期に同期して、帯域割当要求通知を送出することが可能となる。
【００６６】
なお、上り方向（各スレーブノード２０からセンタノード１０への方向）の通信に関する帯域制御は上述の通りであるが、下り方向（各スレーブノード２０からセンタノード１０への方向）の帯域制御については限定されないものであり、従来技術と同様に固定としても良いし、上り方向と同様にタイムスロットの割当てを変更して可変とするようにしても良い。
【００６７】
例えば、センタノード１０の通信制御部１３で、定期又は不定期の間隔で、各スレーブノード２０に対して必要な下り方向の通信に必要な帯域を算出し、算出した帯域に応じたタイムスロットを各スレーブノード２０に割当てるようにしても良い。そして、センタノード１０は、割当てたタイムスロットを用いて、各スレーブノード２０へのフレーム送信を行うことになる。センタノード１０の通信制御部１３で、各スレーブノード２０に対して必要な下り方向の通信に必要な帯域を算出する方式については限定されないものであるが、例えば、センタノード１０の現在の送信待ちフレームのキューの状況に応じて決定するようにしても良いし、スレーブノード２０ごとの直近の転送データの発生状況（到来状況）に応じて決定するようにしても良い。また、例えば、センタノード１０では、上り方向について割当てた帯域をそのまま下り方向にも適用するようにしても良い。
【００６８】
（Ａ−２）実施形態の動作
次に、以上のような構成を有するこの実施形態の光通信ネットワークシステム１の動作（実施形態の帯域制御方法）を説明する。
【００６９】
図１は、センタノード１０と各スレーブノード２０との間のＯＴＮ上の帯域制御に係る動作について示したシーケンス図である。
【００７０】
図６は、センタノード１０と各スレーブノード２０が図１のシーケンス図に従って動作した場合に、各スレーブノード２０に割当てられる上り方向の帯域（タイムスロット数）の遷移について示した説明図である。
【００７１】
各スレーブノード２０に対する初期に割り当てるタイムスロット数は限定されないものであるが、ここでは、各スレーブノード２０に対して均等に割り当てられているものとして説明する。すなわち、各スレーブノード２０には、初期状態において、図６（ａ）に示すように、それぞれ８タイムスロット（１０Ｇ）が割り当てられているものとする。
【００７２】
各スレーブノード２０の通信制御部２３は、上述のリクエスト通知周期に応じたタイミングで、帯域割当要求通知の内容を決定し、ＯＤＵｆｌｅｘフレームにおけるオーバヘッド部に挿入して、センタノード１０側へ送信する（Ｓ１０１）。
【００７３】
上述の通り、ここでは、各スレーブノード２０の通信制御部２３は、８つのタイムスロットが割り当てられているので、３２マルチフレームで４つのＯＤＵｆｌｅｘフレーム送信を行うことができる。したがって、各スレーブノード２０は、初期において、４つのＯＤＵｆｌｅｘフレームごとに、オーバヘッド部に帯域割当要求通知を挿入したＯＤＵｆｌｅｘフレームを送信することになる。
【００７４】
そして、センタノード１０では、各スレーブノード２０から通知される帯域割当要求通知の内容に応じて、各スレーブノード２０に割り当てるタイムスロットを決定して、スレーブノード２０に通知する帯域割当決定通知を生成する（Ｓ１０２）。
【００７５】
センタノード１０で帯域割当決定通知を生成するタイミングは限定されないものであり、例えば、スレーブノード２０からの帯域割当要求通知ごと（すなわち、リクエスト通知周期ごと）としても良いし、複数の帯域割当要求通知ごと（すなわち、リクエスト通知周期のｎ倍（ｎは１以上の整数）の周期ごと）としても良い。
【００７６】
そして、センタノード１０は、生成したスレーブノード２０ごとの帯域割当決定通知を、下り方向のＯＤＵｆｌｅｘフレームのオーバヘッド部に挿入して、各スレーブノード２０に通知する（Ｓ１０３）。ここでは、スレーブノード２０−１に対して５個のタイムスロット（６．２５Ｇ）、スレーブノード２０−２に対して１４個のタイムスロット（１７．５Ｇ）、スレーブノード２０−３に対して４個のタイムスロット（５Ｇ）、スレーブノード２０−４に対して９個のタイムスロット（１１．２５Ｇ）が、それぞれ割当てられたものとする。
【００７７】
そして、各スレーブノード２０では、センタノード１０から通知された帯域割当決定通知で割り当てられたタイムスロットを用いて、センタノード１０への上り方向の通信を行うように通信制御を行う（Ｓ１０４）。ステップＳ１０４の処理の後の、各スレーブノード２０が使用するタイムスロットは、図６（ｂ）の状態となる。
【００７８】
センタノード１０と各スレーブノード２０との間では、上述のステップＳ１０１〜Ｓ１０４と同様の処理が繰り返され、図６（ｃ）、図６（ｄ）に示すように、上り方向の帯域制御が動的に更新されていくことになる。
【００７９】
次に、各スレーブノード２０における帯域割当要求通知の内容の決定処理、及び、センタノード１０における帯域割当決定通知の内容の決定処理（上述のステップＳ１０１〜Ｓ１０３）の詳細について説明する。
【００８０】
スレーブノード２０が、帯域割当要求通知の内容の内容を決定する方式については限定されないものであるが、例えば、現在の当該スレーブノード２０における、転送対象のデータの図示しないキューの蓄積状況や、直近の転送データの発生状況（下位側ネットワークからの転送データの到来状況）に応じて決定するようにしても良い。例えば、スレーブノード２０において、トラヒックの種類（例えば、音声データ、メールデータ等の種類ごと）ごとに異なるキューが設定されている場合には、それぞれのキューについて必要な帯域を算出し、合計した値を、帯域割当要求通知に含めるようにしても良い。
【００８１】
そして、センタノード１０側で、帯域割当決定通知の生成にあたって、各スレーブノード２０に割り当てるタイムスロット数を決定する方法についても限定されないものである。センタノード１０では、例えば、各スレーブノード２０から帯域割当要求通知により要求された通信帯域の合計値が、ＯＴＮの最大の帯域幅（３２タイムスロット分、４０Ｇ）を超えない限り、各スレーブノード２０から帯域割当要求通知により要求された通信帯域を満たす分のタイムスロットを割り当てるようにしても良い。そして、センタノード１０では、要求された通信帯域の合計値が、ＯＴＮの最大帯域幅を超えた場合には、例えば、各スレーブノード２０に公平（均等）にタイムスロットを割り当てるようにしても良いし、予め設定されたウェイト（重み付け係数）に応じて、各スレーブノード２０にタイムスロットを割り当てるようにしても良い。なお、センタノード１０では、例えば、要求する帯域が一定値以下だったスレーブノード２０については、帯域割当要求通知の内容に関りなく、一定数のタイムスロットを割り当てるようにしても良い。
【００８２】
また、各スレーブノード２０において、キューごと（転送データの種類ごと）に必要な帯域を算出して、その算出結果を帯域割当要求通知に含めるようにしても良い。そして、センタノード１０で、要求された通信帯域の合計値が、ＯＴＮの最大帯域幅を超えた場合には、例えば、各スレーブノード２０について、少なくとも優先度の高いキュー（例えば、音声データ等）のための帯域（タイムスロット）として確保するようにしても良い。そして、センタノード１０は、残りの帯域については優先度の低いキュー（例えば、メールデータやＷＷＷのデータ等ベストエフォートな対応で良いデータ）のための帯域（タイムスロット）として、各スレーブノード２０に対して均等又はウェイトに応じた割り当てを行うようにしても良い。
【００８３】
次に、各スレーブノード２０において、センタノード１０からの帯域割当決定通知に応じて行う通信制御（上述のステップＳ１０４）の具体的な処理例について説明する。
【００８４】
各スレーブノード２０では、上り方向のＯＤＵｆｌｅｘフレームに用いるタイムスロット数を変更する場合には、ヒットレス（無瞬断）で変更することが望ましい。各スレーブノード２０で、ヒットレスでタイムスロット数を変更する手順については限定されないものである。例えば、各スレーブノード２０で、上り方向のＯＤＵｆｌｅｘフレームに用いるタイムスロット数の変更が発生した場合には、当然、複数のスレーブノード２０間で、同じ位置のタイムスロットの使用期間が重複しないように制御する必要がある。特に、未割当てのタイムスロットが無い場合（既に全てのタイムスロットについて割当ててしまっている場合）には、センタノード１０では、上述のような重複が発生しないような制御を、各スレーブノード２０に対して行う必要がある。具体的には、例えば、センタノード１０から、帯域（タイムスロット数）を減少させるスレーブノード２０に対して、先に帯域割当決定通知を通知し、未割当てのタイムスロットを生成した後に、帯域を増加させるスレーブノード２０に対して、帯域割当決定通知を通知するようにしても良い。
【００８５】
（Ａ−３）実施形態の効果
この実施形態によれば、以下のような効果を奏することができる。
【００８６】
光通信ネットワークシステム１では、ＯＤＵスイッチの機能に加えて、各スレーブノードとセンタノード間における帯域制御処理を行っている。また、光通信ネットワークシステム１では、スレーブノード２０からの要求に応じて、割当てる帯域（タイムスロット数）を可変にすることによりＯＴＮ上の帯域（リング帯域）を、各スレーブノード２０で効率的に共有する統計多重機能が提供可能となる。これにより、光通信ネットワークシステム１を構成する各ノードでは、レイヤ１スイッチのみでレイヤ２スイッチと同等の機能を実現し、低コスト、低消費電力、小型化が可能となる。すなわち、光通信ネットワークシステム１では、構築コスト及び運用コストを低減させることができる。
【００８７】
（Ｂ）他の実施形態
本発明は、上記の実施形態に限定されるものではなく、以下に例示するような変形実施形態も挙げることができる。
【００８８】
上記の実施形態では、センタノード１０と各スレーブノード２０との間の論理的なトポロジは、センタノード１０を中心としたスター型となっているものとして説明したが、スレーブノード２０間のパスを設定するようにしても良い。その場合、スレーブノード２０間のパスに割当てる帯域（タイムスロット）については、固定としても良いし、センタノード１０の帯域制御に応じて可変としても良い。スレーブノード２０間のパスに割当てる帯域（タイムスロット）が固定の場合には、センタノード１０では、そのスレーブノード２０間のパスに割当てる帯域以外の帯域の中から、各スレーブノード２０からセンタノード１０へのパスに割当てる帯域を決定するようにしても良い。
【００８９】
また、スレーブノード２０間のパスが存在する場合には、そのスレーブノード２０は、パスごとに必要な帯域を算出して、帯域割当要求通知としてセンタノード１０に通知する必要がある。そして、センタノード１０では、スレーブノード２０から、帯域割当要求通知で通知されたパスごとに、割当てる帯域を決定するようにしても良い。また、その場合、各パスには少なくとも１タイムスロット以上割当てる必要がある。
【符号の説明】
【００９０】
１…光通信ネットワークシステム、１０…センタノード、１１…ＡＤＭ、１２…上位側インタフェース、１３…通信制御部、１４…制御部、２０、２０−１〜２０−４…スレーブノード、２１…ＡＤＭ、２２…下位側インタフェース、２３…通信制御部、２４…制御部、３０…光ファイバ。
【図１】
2012204863.tif 000003
【図２】
2012204863.tif 000004
【図３】
2012204863.tif 000005
【図４】
2012204863.tif 000006
【図５】
2012204863.tif 000007
【図６】
2012204863.tif 000008
【図７】
2012204863.tif 000009
【図８】
2012204863.tif 000010
【図９】
2012204863.tif 000011
【図１０】
2012204863.tif 000012